(57)【特許請求の範囲】
【請求項１】
所定の通信媒体を介して情報処理装置から入力される第１の画像データまたは原稿画像を光学的に読み取って得られる第２の画像データを記憶する画像記憶手段と、
前記画像記憶手段に記憶された前記第１または第２の画像データに基づいて記録媒体に画像を形成する画像形成手段と、
前記画像形成手段により前記画像記憶手段に記憶された前記第１または第２の画像データに基づく画像形成中に、後続する前記第１または第２の画像データに対する画像処理モードを予約設定するとともに当該予約設定の有効時間を設定する設定手段と、
前記設定手段により予約設定された画像処理モードを記憶する画像処理モード記憶手段と、
前記画像形成手段により先行される画像形成終了時に、前記画像処理モード記憶手段に記憶される複数の画像処理モードを解析して優先実行すべき画像処理モードが存在するかどうかを判定する判定手段と、
前記判定手段の判定結果に基づいて前記画像処理モード記憶手段に記憶された画像処理モードの実行順位を制御するとともに前記設定手段で設定された有効時間を経過しても予約設定された画像処理モードが実行されない場合に当該予約設定を無効とする制御手段とを有することを特徴とする画像形成装置。
【請求項２】
前記制御手段は、入力される識別データを判定して、前記画像処理モード記憶手段に記憶されている予約設定されたいずれかの画像処理モードを取り消すことを特徴とする請求項１記載の画像形成装置。
【請求項３】
前記制御手段は、入力される識別データを判定して、前記画像処理モード記憶手段に記憶されている予約設定されたいずれかの画像処理モードを修正することを特徴とする請求項１記載の画像形成装置。
【請求項４】
前記制御手段は、入力される予約者名データまたは暗証データと識別データとを照合して予約設定されて記憶された画像処理モードを書換え可能かどうか判定することを特徴とする請求項２または３記載の画像形成装置。
【請求項５】
前記制御手段は、入力される予約者名データおよび暗証データと識別データとを照合して予約設定されて記憶された画像処理モードを書換え可能かどうか判定することを特徴とする請求項２または３記載の画像形成装置。
【請求項６】
前記制御手段は、情報処理装置から予約設定された画像処理モードの画像形成処理終了時に、前記情報処理装置に対して予約設定された画像処理モードに基づく画像形成の終了状態を通知することを特徴とする請求項１記載の画像形成装置。
【請求項７】
前記画像処理モードは、画像形成終了の時間の設定を含むことを特徴とする請求項１記載の画像形成装置。
【請求項８】
所定の通信媒体を介して入力される第１の画像データまたは原稿画像を光学的に読み取って得られる第２の画像データに基づく画像形成中に、後続する前記第１または第２の画像データに対する画像処理モードを予約設定するとともに当該予約設定の有効時間を設定する設定工程と、
該予約設定された画像処理モードを登録する登録工程と、
前記先行される画像形成終了時に、前記登録される複数の画像処理モードを解析して優先実行すべき画像処理モードが存在するかどうかを判定する判定工程と、
該判定結果に基づいて前記記憶された画像処理モードの実行順位を変更して前記第１または第２の画像データに基づく画像を出力する出力工程と、
前記設定工程で設定された有効時間を経過しても予約設定された画像処理モードが実行されない場合に当該予約設定を無効とする処理工程とを有することを特徴とする画像形成装置の制御方法。
【発明の詳細な説明】
【０００１】
【発明の属する技術分野】
本発明は、所定の通信媒体を介して入力される画像データおよび原稿画像を光学的に読み取って得られる画像データに基づいて記録媒体に画像を形成する画像形成装置および画像形成装置の制御方法に関するものである。
【０００２】
【従来の技術】
従来、複写装置等の単体の画像形成装置において、他のユーザが装置を使用している場合、その画像形成を行っているジョブに割り込んで、簡単な画像形成処理を行う機能が実現されていた。
【０００３】
また、他のユーザが装置を使用している場合、操作部上で後続する画像形成ジョブ（画像処理モード）を予約設定する等の機能も実現されていた。
【０００４】
さらに、画像形成中の装置にホストコンピュータ等の外部装置からの画像出力要求（画像処理モードの予約設定）があった場合、前記画像出力要求（画像処理モードの予約設定）をジョブキューイングして、先行する前記画像出力が終了した後に、ジョブキューイングされた画像出力要求（画像処理モードの予約設定）に基づいて後続の画像出力を行う機能が実現されていた。
【０００５】
【発明が解決しようとする課題】
しかしながら、操作部上で予約設定された後続の画像形成ジョブ（画像処理モード）は、誰が予約設定したのか不明で、その予約設定を他のユーザがキャンセルすることも可能であり、誤って他人の予約をキャンセルしてしまう等の問題点があった。
【０００６】
また、前記操作部及び外部装置から設定された画像出力要求（画像処理モード）は設定順で処理されていたため、ユーザがたった１枚の画像出力を行いたい場合でも、画像出力中のジョブもしくは先行して予約設定されたジョブ（画像処理モード）が全て終了するまで待たなければならず、ユーザの作業効率を低下させるという問題点があった。
【０００７】
本発明の目的は、予約設定しておいた画像処理モードをその内容に応じた順序で実行できるとともに、当該予約設定の有効時間を設定しておくことにより、実行されないにも拘わらず予約設定が残ってしまうような不都合を防止できる画像形成装置および画像形成装置の制御方法を提供することである。
【０００８】
【課題を解決するための手段】
本発明に係る第１の発明は、所定の通信媒体（図示しないＬＡＮ）を介して情報処理装置（ＬＡＮインタフェース３０００を介して通信可能な図示しない外部装置）から入力される第１の画像データまたは図１に示すスキャナ部２０００が原稿画像を光学的に読み取って得られる第２の画像データを記憶する画像記憶手段（図１に示すスキャナ部２０００のＲＡＭ２３００）と、前記画像記憶手段に記憶された前記第１または第２の画像データに基づいて記録媒体に画像を形成する画像形成手段（図１に示すプリンタ部６０００）と、前記画像形成手段により前記画像記憶手段に記憶された前記第１または第２の画像データに基づく画像形成中に、後続する前記第１または第２の画像データに対する画像処理モードを予約設定するとともに当該予約設定の有効時間を設定する設定手段（図１に示す操作部１０００又はＬＡＮインタフェース３０００を介して通信可能な不図示の外部装置から入力される画像形成モードを図１に示す制御部４０００のＣＰＵ４１００が設定する）と、前記設定手段により予約設定された画像処理モードを記憶する画像処理モード記憶手段（図１に示す制御部４０００のＲＡＭ４３００）と、前記画像形成手段により先行される画像形成終了時に、前記画像処理モード記憶手段に記憶される複数の画像処理モードを解析して優先実行すべき画像処理モードが存在するかどうかを判定する判定手段（ＣＰＵ４１００）と、前記判定手段の判定結果に基づいて前記画像処理モード記憶手段に記憶された画像処理モードの実行順位を制御するとともに前記設定手段で設定された有効時間を経過しても予約設定された画像処理モードが実行されない場合に当該予約設定を無効とする制御手段（ＣＰＵ４１００）とを有するものである。
【０００９】
本発明に係る第２の発明は、前記制御手段（ＣＰＵ４１００）は、入力される識別データを判定して、前記画像処理モード記憶手段（ＲＡＭ４３００）に記憶されている予約設定されたいずれかの画像処理モードを取り消すものである。
【００１０】
本発明に係る第３の発明は、前記制御手段（ＣＰＵ４１００）は、入力される識別データを判定して、前記画像処理モード記憶手段（ＲＡＭ４３００）に記憶されている予約設定されたいずれかの画像処理モードを修正するものである。
【００１１】
本発明に係る第４の発明は、前記制御手段（ＣＰＵ４１００）は、入力される予約者名データ（ユーザ名，氏名）または暗証データ（パスワード）と識別データ（画像処理モード設定時に入力されたユーザ名，氏名，パスワード等）とを照合して予約設定されて記憶された画像処理モードを書換え（修正，削除）可能かどうか判定するものである。
【００１２】
本発明に係る第５の発明は、前記制御手段（ＣＰＵ４１００）は、入力される予約者名データ（ユーザ名，氏名）および暗証データ（パスワード）と識別データ（画像処理モード設定時に入力されたユーザ名，氏名，パスワード等）とを照合して予約設定されて記憶された画像処理モードを書換え（修正，削除）可能かどうか判定するものである。
【００１３】
本発明に係る第６の発明は、前記制御手段（ＣＰＵ４１００）は、情報処理装置（図示しない情報処理装置からＬＡＮインタフェース３０００を介して）から予約設定された画像処理モードの画像形成処理終了時に、前記情報処理装置に対して予約設定された画像処理モードに基づく画像形成の終了状態を通知するものである。
【００１４】
本発明に係る第７の発明は、前記画像処理モードは、画像形成終了の時間の設定（時間設定）を含むものである。
【００１６】
本発明に係る第８の発明は、所定の通信媒体を介して入力される第１の画像データまたは原稿画像を光学的に読み取って得られる第２の画像データに基づく画像形成中に、後続する前記第１または第２の画像データに対する画像処理モードを予約設定するとともに当該予約設定の有効時間を設定する設定工程（図７のステップ（３）〜（７），（１１），（１５））と、該予約設定された画像処理モードを登録する登録工程（図７のステップ（８），（１２），（１６））と、前記先行される画像形成終了時に、前記登録される複数の画像処理モードを解析して優先実行すべき画像処理モードが存在するかどうかを判定する判定工程（図５のステップ（９），（１０））と、該判定結果に基づいて前記記憶された画像処理モードの実行順位を変更して前記第１または第２の画像データに基づく画像を出力する出力工程（図５のステップ（１１），（１２））と、前記設定工程で設定された有効時間を経過しても予約設定された画像処理モードが実行されない場合に当該予約設定を無効とする処理工程とを有するものである。
【００１７】
【発明の実施の形態】
図１は、本発明の一実施形態を示す画像形成装置の構成を説明するブロック図であり、特にローカルエリアネットワーク（ＬＡＮ）通信機能を有するデジタル複写機について示してある。
【００１８】
図において、デジタル複写機は操作部１０００，スキャナ部２０００，ＬＡＮインタフェース部（ＬＡＮＩ／Ｆ）３０００，制御部４０００，プリンタ部６０００により構成され、操作部１０００，スキャナ部２０００，ＬＡＮインタフェース部３０００，制御部４０００は、それぞれＣＰＵ，ＲＡＭ，ＲＯＭ等を有し、各ＣＰＵが各ＲＯＭ内に記憶された制御プログラムに基づいて、各部を構成する部品の動作制御を行っている。
【００１９】
操作部１０００は、画像形成装置のユーザインタフェース部であり、ユーザは後述する図２に示す各種キーを操作して画像処理モードの予約等の各種設定を行う。１１００はＬＣＤで、各種メッセージを表示する。１２００はＣＰＵで、ＲＯＭ１４００に格納されたプログラムに基づいてメッセージ表示及びユーザの各種キー操作の認識を行い操作部１０００を総括制御する。１３００はＲＡＭで、ＣＰＵ１２００の作業領域である。
【００２０】
なお、ＣＰＵ１２００は、ＲＯＭ１４００に格納された各種メッセージのビットパターンをＲＡＭ１３００に展開し、該展開されたビットパターンをＬＣＤ１１００に送信してメッセージ表示制御を行う。また、ＣＰＵ１２００は、後述する制御部４０００のＣＰＵ４１００とシリアル伝送線を介してデータ通信可能であり、操作部１０００の図２に示す各種キーにより設定される画像処理モード等の設定情報は、後述する制御部４０００のＲＡＭ４３００に格納される。
【００２１】
スキャナ部２０００は、後述する図３に示す原稿台ガラス面２上の原稿を走査して画像入力を行う。２１００は原稿走査系で、後述する図３に示す原稿スキャナ４を走査してイメージセンサ部９（図３に示す）より画像入力を行う。２５００は画像処理部で、原稿走査系２１００により入力された画像信号、あるいは後述するＬＡＮインタフェース部３０００を介して受信した画像データに対して設定された画像処理モードに基づく画像処理を施す。また、画像処理部２５００は、画像メモリとしてのＲＡＭ２３００に格納される画像データを後述するプリンタ部６０００に対して直接転送することが可能である。
【００２２】
２２００はＣＰＵで、ＲＯＭ２４００に格納されたプログラムに基づいて原稿走査系２１００の原稿走査及び画像処理部２５００の各種画像処理を制御してスキャナ部２０００を総括制御する。２３００はＲＡＭで、ＣＰＵ２２００の作業領域である。なお、ＲＡＭ２３００は、原稿走査系２１００により走査された原稿画像、あるいは後述するＬＡＮインタフェース部３０００を介して受信した画像データを複数ページ分記憶する画像メモリである。また、ＣＰＵ２２００は後述する制御部４０００のローカルバスに接続され、制御部４０００のＣＰＵ４１００と例えばＩＥＥＥ８０２で定められたプロトコルに基づく通信が可能である。
【００２３】
ＬＡＮインタフェース部３０００は、画像形成装置とローカルエリアネットワーク（ＬＡＮ）、例えばイーサネットとの通信を制御する。３２００はＬＡＮコントローラで、ＣＰＵ，プログラムＲＯＭ，作業用ＲＡＭ，ＦＩＦＯを内包しＬＡＮインタフェース部３０００内の総括制御を行う。なお、ＦＩＦＯは送受信時のデータを一時蓄積しておくためのものであり、ＦＩＦＯの容量を大きくすることにより、より転送速度の速い通信に対応することが可能となる。
【００２４】
３３００はバスコントローラで、後述する制御部４０００のローカルバスに接続され、制御部４０００のＣＰＵ４１００と、例えばＩＥＥＥ８０２で定められたプロトコルに基づく通信制御を行う。３４００はＬＡＮコネクタで、ＬＡＮ、例えばイーサネットとのデータ送受信を行う。
【００２５】
３１００はシリアルインタフェース（Ｉ／Ｆ）で、シリアルデータの送受信，ＣＳＭＡ／ＣＤ（Carrier Sense Multiple Access ／Collision Detection ）に代表される衝突検出等を行う。ここでは例えば、ＬＡＮコントローラ３２００内部で処理されたデータをマンチェスタコードによって、イーサネット用のデータフォーマットに変換し、またマンチェスタデコードによって、イーサネット上のデータをＬＡＮコントローラ３２００内部でのデータフォーマットに変換する等の処理を行う。なお、シリアルインタフェース３１００によりイーサネット用のデータフォーマットに変換されたデータはＬＡＮコネクタ３４００を介してイーサネット上へ送出される。
【００２６】
制御部４０００は、画像形成装置全体を総括制御する。４２００はＩ／Ｏで、プリンタ部６０００との通信を行う。４１００はＣＰＵで、ＲＯＭ４４００に格納されたプログラムに基づいて操作部１０００のＣＰＵ１２００と直接接続されるシリアル伝送線を介して操作部１０００を、バスを介してスキャナ部２０００およびＬＡＮインタフェース部３０００を、Ｉ／Ｏ４２００を介してプリンタ部６０００をそれぞれ制御する。
【００２７】
４３００はＲＡＭで、ＣＰＵ４１００の作業領域である。なお、ＲＡＭ４３００はバッテリーバックアップされており、複写装置の電源が遮断されても、その記憶内容が失われないようになっている。
【００２８】
また、制御部４０００のローカルバスはＩＥＥＥ８０２の媒体アクセス制御（ＭＡＣ）を受け持ち、ＣＰＵ４１００はＬＡＮインタフェース部３０００に対して特定のＩ／Ｏ空間を通してアクセスする。この際のデータ受渡しにＬＡＮインタフェース部３０００のバスコントローラ３３００が用いられ、さらに、ＣＰＵ４１００はＬＡＮインタフェース部３０００を付してホストコンピュータから転送される画像処理モードの予約等の各種設定を取得し、ＲＡＭ４３００に格納する。
【００２９】
さらに、ＣＰＵ４１００はシリアル伝送線を介して操作部１０００のＣＰＵ１２００と通信し、操作部１０００で設定された画像処理モードの予約等の各種設定を取得し、ＲＡＭ４３００に格納する。
【００３０】
プリンタ部６０００は印字部であり、６２００は紙搬送部で、記録媒体の搬送制御を行う。また、紙搬送部６２００は後述するセンサにより紙づまり等を検知し、制御部４０００のＩ／Ｏ４２００に通知する。６１００は画像形成部で、画像メモリとしてのスキャナ部２０００のＲＡＭ２３００より転送される画像データに基づいて紙搬送部６２００により搬送される記録媒体に画像形成を行う。
【００３１】
なお、本実施形態で採用するＬＡＮインタフェース部３０００は、イーサネットＬＡＮ接続を実現し、また複写動作を制御する制御部４０００のＣＰＵ４１００とＬＡＮインタフェース部３０００とのデータ通信にはＩ／Ｏ方式を用いているが、本発明に他のＬＡＮ接続方式、例えばトークンリング方式やメモリ共有方式等のインタフェース技術を採用しても差し支えないことは明らかである。
【００３２】
以下、操作部１０００のメッセージ表示の動作について説明する。
例えば、プリンタ部６０００の紙搬送部６２００で紙詰まりが発生した場合、即ち、コピー終了予定時刻に紙搬送部内に紙が残っている場合、制御部４０００のＣＰＵ４１００はＩ／Ｏ４２００からのセンサ入力によって紙あり状態を検知し、紙詰まりメッセージ番号を操作部１０００のＣＰＵ１２００に通知する。次に、操作部１０００のＣＰＵ１２００は、ＲＯＭ１４００内に記憶されている、紙詰まりメッセージ番号に対応した文字コード列を読み込み、各文字コードに対応するビットマップ形式の文字パターンをＲＯＭ１４００から探し出し、そのパターンをＲＡＭ１３００に展開し、ＣＰＵ１２００がＲＡＭ１３００に展開された内容をＬＣＤ１１００に転送し文字列（メッセージ）の表示が完了する。
【００３３】
図２は、図１に示した操作部１０００の構成を説明する平面図であり、図１と同一のものには同一の符号を付してある。
【００３４】
図において、５００１は電源スイッチで、画像形成装置内各ユニットへの通電を制御する。５００２はリセットキーで、スタンバイ中は標準モードに復帰させるキーとして動作する。５００３はコピースタートキーで、コピー動作を実行させる。５０２４はテンキーで、コピー枚数等の数値入力に使用する。５００４はクリアキーで、テンキー５０２４により入力された数値をクリアするときに用いる。
【００３５】
５００５はＩＤキーで、ＩＤキー操作後に特定の識別データ、例えば予約者名データ（ユーザＩＤ，ユーザ名），暗証データ（パスワード）等を入力しない限り複写動作の設定および実行，画像処理モードの予約設定を行えなくすることで、特定の操作者に対してのみ複写機の使用および画像処理モードの予約，修正，削除（取消）を許可することが可能である。
【００３６】
また、ユーザに識別データとして暗証データまたはを予約者名データを入力させて、入力された暗証データまたは予約者名データと画像形成モードを画像形成モード予約設定時に入力された暗証データまたは予約者名データとを照合して画像処理モードの予約修正，予約削除の許可を判定するように構成しても、暗証データ及び予約者名データをユーザ入力させて、入力された暗証データおよび予者名データと画像形成モード予約設定時に入力された暗証データおよび予約者名データとを照合して画像処理モードの予約修正，予約削除の許可を判定するように構成してもよい。
【００３７】
さらに、全ユーザが設定した画像形成モードの修正，削除の実行が可能な管理者を設定するように構成してもよい。
【００３８】
５００６はストップキーで、コピーを中断したり中止したりするときに用いるキーである。５００７はガイドキーで、各機能を知りたいときに使用するキーである。５００８は上カーソルキーで、各機能設定画面においてポインタを上に移動させるキーである。
【００３９】
５００９は下カーソルキーで、各機能設定画面においてポインタを下に移動させる。５０１０は右カーソルキーで、各機能設定画面においてポインタを右に移動させる。５０１１は左カーソルキーで、各機能設定画面においてポインタを左に移動させる。５０１２はＯＫキーで、各機能設定画面において設定を承認する場合に操作する。５１３はアスタリスクキーで、応用モード等を設定するとき使用するキーである。５０１４は定形縮小キーで、定形サイズの原稿画像を他の定形サイズに縮小するときに使用する。５０１５は等倍キーで、等倍コピーを選択するときに使用する。５０１６は定形拡大キーで、定形サイズの原稿画面像を他の定形サイズに拡大するときに使用する。
【００４０】
５０１７はカセット選択キーで、転写紙を供給するカセット段を選択する。５０１８はコピー濃度調整キーで、濃度を薄くする場合に操作する。５０１９はＡＥキーで、原稿の濃度に対しコピー濃度を自動的に調整する時に使用する。５０２０はコピー濃度調整キーで、濃度を濃くする場合に使用する。５０２１はソータキーで、ソータの動作を指定する。５０２２は予熱キーで、予熱モードのＯＮ／ＯＦＦに使用する。５０２３は割り込みキーで、画像形成を行っているジョブに割りこんで画像形成する場合に使用する。
【００４１】
５０２５はマーカ処理キーであり、トリミング，マスキング，部分処理（輪郭処理，網処理，影付け処理，ネガポジ処理）を設定する時に操作する。５０２６はパターン化処理キーで、色をパターン化して表現したり色を濃度差で表現したりする時に使用する。５０２７は色消去キーで、原稿画像上の特定の色を消去したときに使用する。５０２８は画質キーで、出力される画質の設定を行いたいときに使用する。５０２９はネガポジキーで、ネガポジ処理を行うときに使用する。
【００４２】
５０３０はイメージクリエイトキーで、輪郭処理，影付け処理，網処理，斜体，ミラー処理，リピート処理を行うときに使用する。５０３１はトリミングキーで、エリアを指定しトリミングをするときに使用する。５０３２はマスキングキーで、エリアを指定しマスキングをするときに使用する。５０３３は部分処理キーで、エリアを指定しその後、部分処理（輪郭処理，網処理，影付け処理，ネガポジ処理）を指定する。
【００４３】
５０３４は枠消しキーで、モードに合わせて枠消しを行うときに使用する。枠消しには、シート枠消し（シートサイズに対して枠を作成する），原稿枠消し（原稿サイズに合わせて枠を作成する。原稿サイズ指定有り），ブック枠消し（ブックの見開きサイズに合わせて枠と中央に空白を作成するブック見開きサイズ指定有り）の三種類がある。
【００４４】
５０３５は綴じ代キーで、用紙の一端に綴じ代を作成したいときに使用する。５０３６は移動キーで、移動を行いたいときに使用する。移動には、平行移動（上下左右），センタ移動，コーナ移動，指定移動（ポイント指定）がある。５０３７はズームキーで、例えば複写倍率を２５％〜４００％の範囲で１％刻みで設定できる。また、主走査，副走査２方向の複写倍率を独立に設定できる。５０３８はオート変倍キーで、複写紙のサイズに合わせて自動的に拡大縮小する。また、主走査，副走査方向の複写倍率を独立にオート変倍できる。
【００４５】
５０４０は縮小レイアウトキーで、複数の原稿を１枚の出力紙上に縮小統合するときに使用する。５０４３は連写キーで、原稿台ガラス面の複写領域を左右に２分割し自動的に２枚のコピーをする連続複写（ページ連写，両面連写）を行いたいときに使用する。５０４４は両面キーで、両面コピー（片面両面，ページ連写両面，両面両面）を行うときに使用する。５０４５は多重キーで、多重コピー（多重，ページ連写多重）を行うときに使用する。
【００４６】
５０４６はメモリキーで、画像メモリを使用したコピーモード（メモリ合成，エリア合成，すかし合成）を実行するときに使用する。５０４７はプロジェクタキーで、フィルムプロジェクタを使ってコピーするときに操作する。５０４８はプリンタキーで、外部機器から転送される画像データを出力する場合に操作する。５０５０は予約設定キーで、画像処理モード（ＪＯＢ）の予約，修正，削除（取消）を行いたい時に使用する。
【００４７】
５０５１はモードメモリキーで、設定された複写モードをメモリに登録する場合と登録された複写モードを呼び出す場合に使用する。５０５２は表示画面で、装置の状態，複写枚数，複写倍率，複写用紙サイズを表示し、複写モード設定中には設定内容を表示する。また複写装置に紙詰まり等の複写動作続行不可能な事態が生じた場合には、その対処方法を説明する図や動画，文章を表示する。
【００４８】
なお、ユーザが前記予約設定キー５０５０を押下すると、図１示したデジタル複写機は予約設定モードに入り、ユーザは各種キー操作により画像処理モードを詳細に設定することができる。
【００４９】
図３は、図１に示したデジタル複写機の構成を説明する断面図である。
【００５０】
図において、１は原稿給送装置で、原稿給送装置１上の原稿トレイに載置された原稿を１枚ずつ、或は２枚連続に原稿台ガラス面２上の所定位置に給送し、コピーが終了した原稿は原稿給送装置１内の所定位置に戻す。４は原稿スキャナで、原稿照射ランプ３，走査ミラー等で構成されている。９はイメージセンサ部で、電荷結合素子（Charged Coupled Device、以下、ＣＣＤ）を備え、各走査ミラー及びレンズを介して結像される原稿からの反射光を入力し、ＣＣＤから順次送られてくる画像の濃度に応じた電気信号を画像処理部２５００に出力する。１０は露光制御部で、レーザスキャナを内蔵し、画像処理部２５００から出力される画像データに基づいて変調された光ビームを、感光体１１に照射して静電潜像を形成する。
【００５１】
１２，１３は現象器で、感光体１１に形成された静電潜像を現像剤（トナー）で可視化する。前記現像器１２，１３にはそれぞれ異なる色の現像剤が充填されている。１４，１５は転写紙積載部で、定形サイズの転写紙が積載収納される。２５，２６は給送ローラで、図示しない駆動手段により駆動され、転写紙積載部１４，１５から転写紙を給紙する。２７はレジストローラで、給紙ローラ２５，２６により給紙された転写紙を感光体１１に形成される画像との画像先端合わせのタイミングをとって静電潜像転写部に送出する。
【００５２】
１６は転写分離帯電器で、感光体１１上のトナー像をレジストローラ２７により給紙される転写紙に転写し、その後に感光体１１から転写紙を分離する為のものである。２８は搬送ベルトで、トナー像転写後の転写紙を搬送する。１７は定着器で、搬送ベルト２８により搬送された転写紙を過熱された上下ローラの間を通過させて、転写紙上のトナー像を定着させる。１８は排紙ローラで、画像形成を終了した転写紙を図示しない排紙トレーに排紙する。
【００５３】
２１はフラッパで、軸２０を中心に回動し、多重／両面コピーを行う場合に、片面に画像形成された転写紙の搬送方向を切り替える為に用いられる。１９は紙検知センサで、排紙される転写紙を検知する。なお、紙検知センサ１９以外にも不図示の紙検知センサが複写装置内部の紙搬送パス上の各所に設けられ、その出力信号は、複写装置の制御部４０００のＩ／Ｏ４２００に入力されている。
【００５４】
２２〜２４は転写紙搬送パスで、多重／両面画像形成の際に用いられる。多重画像形成の場合には、フラッパ２１，転写紙搬送パス２２，２３の順に転写紙が搬送され、画像形成部に再給紙される。また、両面画像形成の際には、フラッパ２１を通過した転写紙は排紙ローラ１８迄搬送され、フラッパ２１の切り替えの後、転写紙搬送パス２２，２３，２４へ順次送られ、画像形成部に再給紙される。
【００５５】
また、紙詰まりの処理や装置のメンテナンスを行い易くする為に、紙搬送経路上にある各部分はユニット化されており、ユニット単体を装置全面に引き出せるようになっている。各ユニット近傍の外装パネルは開閉が可能である。
【００５６】
さらに、転写紙積載部１４，１５は装置前方に独立に引出可能である。また定着器１７から排紙ローラ１８までは一体化構造をとっており、前方にまとめて引き出すことができる（定着ユニット）。また、転写紙搬送パス２２，２３，２４はトレイユニットとして装置外部に引き出すことができる。
【００５７】
また、各開閉部には、開閉状態を検知するスイッチ型のセンサが取り付けられていてその出力信号がＩ／Ｏ４２００に入力されている為、ＣＰＵ４１００はその開閉状態を常時監視できるようになっている。
【００５８】
以下、各部の動作について説明する。
【００５９】
原稿給送装置１により原稿が原稿台ガラス面２上の所定位置にセットされると、スキャナが原稿台ガラス面２に並行に往復運動し、原稿からの反射光はミラーを介してレンズ８に導かれてイメージセンサ部９に入力される。次に、イメージセンサ９により出力される画素濃度に応じた電気信号は、画像処理部２５００により所定の画像処理を施された後に、画像処理部２５００から出力される画像データに基づいて露光制御部１０が光ビームを感光体１１に照射し感光体１１上に静電潜像を形成する。次に、前記感光体１１上の潜像は現像器１２，１３によりトナー現像され、給紙される転写紙に転写，定着された後、排紙される。
【００６０】
ここで、多重画像形成の場合、転写紙はフラッパ２１，転写紙搬送パス２２，２３の順に搬送され、画像形成部に再給紙される。また、両面画像形成の場合、転写紙はフラッパ２１を通過した後排紙ローラ１８迄搬送され、フラッパ２１の切り替えの後に転写紙搬送パス２２，２３，２４へ順次送られ、画像形成部に再給紙される。
【００６１】
なお、図３上には示さないが、上記デジタル複写機は、図１で示したＬＡＮインタフェース部３０００によりＬＡＮ、例えばイーサネットに接続されており、ホストコンピュータ等の外部装置から転送される画像データを印字可能である。
【００６２】
図４は、図１に示したスキャナ部２０００の画像処理部２５００の構成を説明するブロック図であり、図１と同一のものには同一の符号を付してある。
【００６３】
図において、２５０２はＡ／Ｄ変換部で、原稿走査系２１００により原稿画像を走査され、イメージセンサ部９に配置されたＣＣＤに入力され、ＣＣＤから順次送られてくる画素の濃度に応じた電気信号（アナログ）を濃度に応じたレベルのデジタル信号に変換する。２５０３は黒オフセット補正部で、ＣＣＤアナログ増幅部の黒濃度におけるオフセットのばらつきを補正する。
【００６４】
２５０４はシェーディング補正部で、黒オフセット補正部２５０３から出力される画像信号を原稿照明ランプの光量分布のばらつきを等を補正（デジタル信号のレベルを補正）する。２５０５はラインメモリ（記憶装置）で、シェーディング補正部２５０４より出力される画像信号を一時的に蓄える。２５０７は原稿位置認識部で、シェーディング補正後の信号を用いて原稿が原稿台ガラス面２のどの位置に置かれているかを認識する。
【００６５】
２５０８は変倍／移動処理部で、信号をラインメモリ２５０５に書き込んだり、信号をラインメモリ２５０５から読み出したりするタイミングを変えることにより、画像の変倍，移動処理を行う。また、変倍／移動処理部２５０８は、ラインメモリ２５０５から信号を読み出す時、読み出し方を変えることにより、鏡像，折り出し，リピート処理を行う。２５０６はシャープネス／フィルタ／輪郭処理部で、ラインメモリ２５０５から読み出された信号の画素毎の濃度レベルの演算を行う。
【００６６】
２５０９は濃度処理部で、シャープネス／フィルタ／輪郭処理部２５０６から出力されたデジタル信号のレベルを複写装置のコピー濃度設定情報に応じて変換する。２５１０はトリム／マスク，ネガ／ポジ処理部で、濃度処理部２５０９から出力されるデジタル信号のレベルを反転させるネガ／ポジ処理と、指定されている領域の信号或は領域外の信号を指定された濃度レベルに変えるトリム或はマスク処理を行う。
【００６７】
２５１１はアドオン処理部で、予め文字情報が記憶されているメモリから指定された文字の情報読み出し、トリム／マスク，ネガ／ポジ処理部２５１０より出力される画像信号の指定した箇所の画像信号の代わりに８ビットのデジタル信号をプリンタ部６０００に出力する。また、２５０１はセレクタで、ＣＣＤによって読み取られ、Ａ／Ｄ変換部２５０２，黒オフセット補正部２５０３，シェーディング補正部２５０４を経た画像データの出力をラインメモリ２５０５または、ＣＰＵ２２００に切り換える。
【００６８】
以下、各部の動作について説明する。
【００６９】
原稿台ガラス面２上に載置された２原稿画像は原稿走査系２１００によって走査され、イメージセンサ部９に配置されたＣＣＤに入力される。ＣＣＤから順次送られてくる画素の濃度に応じた電気信号（アナログ）は、先ずＡ／Ｄ変換部２５０２で、濃度に応じたレベルのデジタル信号に変換される。その後、黒オフセット補正部２５０３がＣＣＤアナログ増幅部の黒濃度におけるオフセットのばらつきを補正し、次に、シューディング補正部２５０３が原稿照明ランプの光量分布のばらつきを等を補正する。次に、シェーディング補正部２５０３から出力される信号は一時的にラインメモリ（記憶装置）２５０５に蓄えられる。
【００７０】
また、原稿位置認識部２５０７では、シェーディング補正後の信号を用いて原稿が原稿台のどの位置に置かれているかを認識し、変倍／移動処理部２５０８が信号をラインメモリ２５０５に書き込んだり、信号をラインメモリ２５０５から読み出したりするタイミングを変えることにより、画像の変倍／移動処理を行う。
【００７１】
次に、ラインメモリから読み出された信号は、シャープネス／フィルタ／輪郭処理部２５０６へ送られ、シャープネス／フィルタ／輪郭処理部２５０６が、画素毎の濃度レベルを演算することによりシャープネス，フィルタ，輪郭の各処理を行い、濃度処理部２５０９へ出力し、濃度処理部２５０９が送られてきたデジタル信号のレベルを複写装置のコピー濃度設定情報に応じて変換し出力する。
【００７２】
さらに、トリム／マスク，ネガ／ポジ処理部２５１０がデジタル信号のレベルを反転させるネガ／ポジ処理，指定されている領域の信号、或は領域外の信号を指定された濃度レベルに変えてトリム処理或はマスク処理を行い、アドオン処理部２５１１が、予め文字情報が記憶されているメモリから、指定された文字の情報読み出し指定した箇所に画像信号の代わりに８ビットのデジタル信号をプリンタ部６０００へ送信し、プリンタ部６００は、画像処理部２５００から送信されるデジタル信号に基づいてレーザをＯＮ／ＯＦＦさせて、感光ドラム上に明部，暗部を再現させる。
【００７３】
また、スキャナ部２０００内には複数ページ分の原稿画像情報を記憶するための画像メモリとしてのＲＡＭ２３００があり、ＣＣＤによって走査された原稿画像や、ホストコンピュータから転送されてきた画像データを記憶するために用いられる。例えば、複写装置が外部装置からのリモートコントロールモードで動作している場合には、外部装置からＬＡＮインタフェース部３０００を経由して送られてくる画像データは、制御部４０００のＣＰＵ４１００とＣＰＵ２２００によってＲＡＭ２３００に転送される。
【００７４】
なお、制御部４０００のＣＰＵ４１００とＣＰＵ２２００はＣＰＵに内蔵されたデュアルポートＲＡＭを介して通信を行う。また、画像処理部２５００内のセレクタ２５０１はＣＰＵ４１００からのコマンドに従って、ＣＰＵ２２００によって切り換えられており、ＲＡＭ２３００内のビットマップデータがプリンタ部６０００に直接転送されるようになっている。
【００７５】
さらに、制御部４０００のＣＰＵ４１００から転送されるコマンドに、操作部１０００又は外部装置により設定され制御部４０００のＲＡＭ４３００に格納される画像処理モードに基づく画像処理操作等が含まれる場合には、画像データはラインメモリ２５０５に転送され、指定の画像処理が実行される。
【００７６】
また、ＣＣＤによって読みとられた画像データを逐次画像処理部２５００で処理した後に、画像メモリとしてのＲＡＭ２３００に転送，記憶させ、その画像データを、制御部４０００のＣＰＵ４１００及び、ＬＡＮインタフェース部３０００を経由して外部装置に送出することが可能である。この場合にはセレクタ２５０１はチャンネル２に切り換えられており、ＣＣＤからのアナログ信号はＡ／Ｄ変換器２５０２，黒オフセット補正部２５０３，シューディング補正部２５０４，セレクタ２５０１を経てＣＰＵ２２００に転送される。ＣＰＵ２２００は光学的走査手段である原稿走査系２１００内での走査位置情報に基づいて、セレクタ２５０１から送出されるデータを順次ＲＡＭ２３００内の適当な領域に格納する。
【００７７】
さらに、走査終了後、ＣＰＵ２２００は制御部４０００のＣＰＵ４１００に対して走査終了を通知する。制御部４０００のＣＰＵ４１００はＣＰＵ２２００に対してＲＡＭ２３００内の画像データ引き取り要求コマンドを送信し、その後ＣＰＵ２２００から送られてくる画像データをＬＡＮインタフェース部３０００を介して外部装置に送出する。
【００７８】
以上より、本画像形成装置は、外部装置の周辺機器としてのデジタルプリンタ，デジタル原稿スキャナ，更にスタンドアロンのデジタル複写機として機能する。各機能への切り換え制御は、外部装置から転送される制御コマンドや、操作部１０００から入力される動作モード選択操作に基づいて行われる。
【００７９】
以下、図５，図６のフローチャートを参照して、本発明に係る画像形成装置の画像出力処理動作について説明する。
【００８０】
図５，図６は、本発明に係る画像形成装置の画像出力処理手順を説明するフローチャートであり、制御部４０００のＲＯＭ４４００に格納されるプログラムに基づいてＣＰＵ４１００により実行される。なお、（１）〜（１４）は各ステップを示す。
【００８１】
まず、操作部１０００あるいはＬＡＮインタフェース部３０００を介してホストコンピュータから新規リクエスト要求（画像処理モードの予約設定）があるかどうかをチェックし（１）、新規要求（画像処理モードの予約設定）がないと判定された場合は、出力要求ＪＯＢのキューイングがまだ残っているか（即ち、まだ画像出力されていない画像処理モードがＲＡＭ４３００に格納されているか）否かを判定し（４）、残っていると判定された場合は、ステップ（５）に進み、残っていないと判定された場合は、ステップ（１４）に進む。
【００８２】
一方、ステップ（１）において、新規要求（画像処理モードの予約設定）があると判定された場合は、新規リクエスト（登録）を解析し（予約設定された画像処理モードを解析し）、出力枚数，画像情報信号，優先順位等のデータを再構築し新規リクエストＪＯＢデータを作成する（２）。次に、ステップ（２）で再構築された新規リクエストＪＯＢデータを出力要求ＪＯＢのキューイングに繋げる（３）。即ち、新規に予約設定された画像処理モードはキュー構造のデータとして先行して予約設定された画像処理モードと共にＲＡＭ４３００に格納される。
【００８３】
次に、登録されているＪＯＢの削除要求リクエスト（予約設定された画像処理モードの削除（取消）設定）があるかどうかのチェックを行い（５）、削除要求（予約設定された画像処理モードの削除設定）があると判定された場合は、削除要求されているＪＯＢを出力要求ＪＯＢのキューイングより切り離すことにより画像処理モードを削除し（取消）（６）、ステップ（１）に戻る。
【００８４】
一方、ステップ（５）において、登録されているＪＯＢの削除要求リクエスト（予約設定された画像処理モードの削除（取消）設定）がないと判定された場合は、登録されているＪＯＢの修正要求リクエスト（予約設定された画像処理モードの修正設定）があるかどうかのチェックを行い（７）、修正要求が（予約設定された画像処理モードの修正設定）ないと判定された場合は、ステップ（９）の処理に進む。
【００８５】
一方、ステップ（７）において、登録されているＪＯＢの修正要求リクエスト（予約設定された画像処理モードの修正設定）があると判定された場合は、修正要求されたＪＯＢを一旦、出力要求ＪＯＢのキューイングから切り離し、修正要求（予約設定された画像処理モードの修正設定）に応じてＪＯＢデータを修正し、再度出力要求ＪＯＢのキューイングに繋げる（８）。
【００８６】
次に、出力要求ＪＯＢのキューイングに繋がっているＪＯＢ（予約設定された画像処理モード）を全てチェックし、出力要求時間や管理有効時間等の設定による優先度の高いＪＯＢ（画像処理モード）を検索及び管理有効時間を経過した画像処理モードの予約を無効にする（出力要求ＪＯＢのキューから切り離す）キューイングＪＯＢのタイマ更新処理を行い（９）、ステップ（９）で検索された優先順位の高いＪＯＢ（画像処理モード）があるかどうかを判定し（１０）、優先順位の高いＪＯＢ（画像処理モードがあると判定された場合は、優先順位の高いＪＯＢ（画像処理モード））の画像出力１枚分の出力処理を行い（１１）、ステップ（１３）に進む。
【００８７】
一方、ステップ（１０）において、優先順位の高いＪＯＢ（画像処理モード）があると判定された場合は、一番先にキューイングされたＪＯＢ（画像処理モード）の画像出力１枚分の出力処理を行い（１２）、ステップ（１３）に進む。
【００８８】
ステップ（１１）又は、ステップ（１２）において出力したＪＯＢ（画像処理モード）に対し、合計出力画像枚数から出力画像１枚分を減算する（１３）。また、出力した画像でそのＪＯＢ（画像処理モード）が終了する場合には、そのＪＯＢをキューイングから切り離して画像処理モードを削除し、ステップ（１４）に進む。
【００８９】
次に、出力要求キューイングが空になっている（まだ画像出力されていない画像処理モードがＲＡＭ４３００に格納されている）か否かにより処理の終了を判定し（１４）、出力要求キューイングが空の場合は、処理を終了し、まだ出力要求キューイングが存在している場合は、ステップ（１）に戻り、再度処理を行う。
【００９０】
なお、上記フローチャートに示した処理動作を開始するタイミングとして、新規出力要求が登録（画像処理モードが予約設定）された時に動作を開始する。但し、既に動作している場合は除く。
【００９１】
以下、図７のフローチャートを参照して、本発明に係る画像形成装置の予約処理動作について説明する。
【００９２】
図７は、本発明に係る画像形成装置の画像処理モード予約処理手順を説明するフローチャートであり、制御部４０００のＲＯＭ４４００に格納されるプログラムに基づいてＣＰＵ４１００により実行されるＪＯＢ予約，修正，削除処理に対応する。なお、（１）〜（１６）は各ステップを示す。
【００９３】
まず、操作部上の予約設定キー５０５０の入力、又は、ＬＡＮインタフェース部３０００を介してコンピュータ側から画像処理モード予約設定等の要求の入力があると、入力された要求内容が画像処理モード予約設定処理か否かを判定し（１）、要求内容が画像処理モードの予約設定処理と判定された場合は、予約を行う為の暗証（パスワード）またはユーザの名前（又はユーザＩＤ）のユーザ入力を操作部１０００またはホストコンピュータより行い（２）、その後に、ユーザが画像処理モードの予約設定（枚数，画像形成モード，出力用紙等の設定）を行う（３）。
【００９４】
次に、完了時刻の設定を行うか否かの入力を操作部１０００のＬＣＤ１１００又はホストコンピュータの表示部に表示することによりユーザに催促し、ユーザ入力に基づき完了時間の設定を行うか否かの判定を行う（４）。完了時間の設定を行わないと入力された場合は、ステップ（６）に進み、完了時間の設定を行うと入力された場合は、出力完了時刻の時間設定を行う（５）。ここで、時間設定とは、例えば、すぐに出力しなくてよいが、ある時間までには出力を完了しているように時間を設定するモードである。
【００９５】
次に、有効時間の設定を行うか否かの入力をユーザに催促し、ユーザ入力に基づき有効時間の設定を行うか否かの判定を行う（６）。有効時間の設定を行わないと入力された場合は、ステップ（８）に進み、有効時間の設定を行うと入力された場合は、有効時間設定を行う（７）。ここで、有効時間設定とは、ユーザがある一定時間以内に出力可能ならば、出力したいが、そうでない場合には出力しなくてもよい（画像処理モードの予約設定を無効にする）場合にこの設定を行うものである。
【００９６】
次に、予約設定された画像処理モードに基づいて予約ＪＯＢのデータを構築し、図５，図６で示した画像出力処理タスクを起動し（まだ起動されていない場合）、新規予約リクエストを画像出力処理タスクに対して行い（予約登録）（８）、処理を終了する。
【００９７】
一方、ステップ（１）において、入力された要求内容が画像処理モードの予約設定処理でないと判定された場合は、入力された要求内容が予約設定された画像処理モード（予約登録されたＪＯＢ）の削除（取消）処理であるか否かを判定し（９）、予約設定された画像処理モード（予約登録されたＪＯＢ）の削除処理であると判定された場合は、予約削除（取消）処理を行う為の暗証（パスワード）またはユーザの名前（又はユーザＩＤ）をユーザ入力する（１０）。この暗証またはユーザ名の入力により、予約削除（取消）処理を他のユーザが行う事を禁止することが可能となる。
【００９８】
次に、予約設定されている画像処理モード（ＪＯＢ情報）を操作部の表示部であるＬＣＤ１１００（又は、ホストコンピュータ側の表示部）に表示し、ユーザが削除（取消）する画像処理モード（予約設定された画像処理モード（ＪＯＢ）が複数ある場合）を選択設定し（１１）、選択された画像処理モード（ＪＯＢ）の削除リクエストを図５，図６に示した画像出力処理タスクに対して行い（削除登録）（１２）、処理を終了する。
【００９９】
一方、ステップ（９）において、入力された要求内容が予約登録された画像処理モード（ＪＯＢ）の削除（取消）処理でないと判定された場合は、要求内容が予約登録された画像処理モード（ＪＯＢ）の修正処理であるか否かを判定し（１３）、予約修正処理であると判定された場合は、予約修正処理を行う為の暗証（パスワード）またはユーザの名前（又はユーザＩＤ）をユーザ入力する（１４）。この暗証またはユーザ名の入力により、予約修正処理を他のユーザが行う事を禁止することが可能となる。
【０１００】
次に、予約設定されている画像処理モード（ＪＯＢ情報）を操作部の表示部であるＬＣＤ１１００（又は、ホストコンピュータ側の表示部）に表示し、ユーザが修正する画像処理モード（予約設定された画像処理モード（ＪＯＢ）が複数ある場合）を選択設定し（１５）、選択された画像処理モード（ＪＯＢ）の修正リクエストを図５，図６に示した画像出力処理タスクに対して行い（修正登録）（１６）、処理を終了する。
【０１０１】
一方、ステップ（１３）において、入力された要求内容が予約登録されたＪＯＢの修正処理でないと判定された場合は、処理を終了する。
【０１０２】
以上の処理により、画像形成装置を操作部１０００またはＬＡＮインタフェース部３０００を介したリモート処理により予約設定，削除（取消）設定，修正設定を行う事ができ、かつ、優先順位などにより効率良く作業を進める事ができる。
【０１０３】
また、図５で示したステップ（１３）で、出力した画像でそのＪＯＢ（画像処理モード）が終了する場合には、ＪＯＢ（画像処理モード）が終了したというメールを図７のステップ（２），（１４）で入力された名前（画像処理モードを予約設定したホストコンピュータのユーザ）に対し、返信する（又は、操作部１０００のＬＣＤ１１００に表示する）制御を入れる事も容易に達成できる。
【０１０４】
これにより、ユーザは画像出力の終了を随時監視することなく、予約設定した画像の出力終了を認識することができる。
【０１０５】
また、図５，図６で示したステップ（９）で、管理有効時間を経過した画像処理モードの予約を無効にした場合には、ＪＯＢ（画像処理モード）が予約が無効にされたというメールを図７のステップ（１０）で入力された名前（画像処理モードを予約設定したホストコンピュータのユーザ）に対し、返信する（又は、操作部１０００のＬＣＤ１１００に表示する）制御を入れる事も容易に達成できる。
【０１０６】
なお、上記フローチャートに示した処理動作を開始するタイミングとして、操作部１０００あるいは、ＬＡＮインタフェース部３０００を介してホストコンピュータ等より画像処理モードの予約設定等の処理を行う時に動作を開始する。
【０１０７】
また、上記図７のフローチャートに示した画像処理モードの予約処理においては、ユーザに識別データとして暗証データまたはを予約者名データを入力させて、入力された暗証データまたは予約者名データと画像形成モードを画像形成モード予約設定時に入力された暗証データまたは予約者名データとを照合して画像処理モードの予約修正，予約削除の許可を判定する構成を示したが、暗証データ及び予約者名データをユーザ入力させて、入力された暗証データおよび予者名データと画像形成モード予約設定時に入力された暗証データおよび予約者名データとを照合して画像処理モードの予約修正，予約削除の許可を判定するように構成してもよい。
【０１０８】
これにより、ユーザが誤って他のユーザの設定した画像処理モードの取り消しまたは修正変更，削除を行うことを確実に防止することできる。
【０１０９】
また、前記出力時間を設定することにより、ユーザの意図に合せて優先的に或は他の画像形成を優先させて画像形成することができる。
【０１１０】
さらに、前記有効時間を設定することにより、時間超過により不要となった画像形成の実行を防止することができる。
【０１１１】
以上より、予約設定される画像処理モードの処理順序を自在に修正，変更して、ユーザが意図する最適な順序で効率よく画像形成することができる。
【０１１２】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出して実行することによっても、本発明の目的が達成されることは言うまでもない。
【０１１３】
この場合、記憶媒体から読み出されたプログラムコード自体が本発明の新規な機能を実現することになり、そのプログラムコードを記憶した記憶媒体は本発明を構成することになる。
【０１１４】
プログラムコードを供給するための記憶媒体としては、例えば、フロッピーディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いることができる。
【０１１５】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１１６】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１１７】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウエアによって表されるプログラムを格納した記憶媒体を該システムあるいは装置に読み出すことによって、そのシステムあるいは装置が、本発明の効果を享受することが可能となる。
【０１１８】
さらに、本発明を達成するためのソフトウエアによって表されるプログラムをネットワーク上のデータベースから通信プログラムによりダウンロードして読み出すことによって、そのシステムあるいは装置が、本発明の効果を享受することが可能となる。
【０１１９】
【発明の効果】
以上説明したように、本発明によれば、予約設定しておいた画像処理モードをその内容に応じた順序で実行できるとともに、当該予約設定の有効時間を設定しておくことにより、実行されないにも拘わらず予約設定が残ってしまうような不都合を防止できる。
【０１２８】
従って、予約設定される画像処理モードの処理順序を自在に修正，変更して、ユーザが意図する最適な順序で効率よく画像形成できる等の効果を奏する。
【図面の簡単な説明】
【図１】本発明の一実施形態を示す画像形成装置の構成を説明するブロック図である。
【図２】図１に示した操作部の構成を説明する平面図である。
【図３】図１に示したデジタル複写機の構成を説明する断面図である。
【図４】図１に示したスキャナ部の画像処理部の構成を説明するブロック図である。
【図５】本発明に係る画像形成装置の画像出力処理手順を説明するフローチャートである。
【図６】本発明に係る画像形成装置の画像出力処理手順を説明するフローチャートである。
【図７】本発明に係る画像形成装置の画像処理モード予約設定処理手順を説明するフローチャートである。
【符号の説明】
１０００  操作部
２０００  スキャナ部
２３００  ＲＡＭ
２５００  画像処理部
３０００  ＬＡＮインタフェース部（ＬＡＮＩ／Ｆ）
４０００  制御部
４１００  ＣＰＵ
４２００  Ｉ／Ｏ
４３００  ＲＡＭ
４４００  ＲＯＭ
６０００  プリンタ部
【図１】
0003745082.tif 000002
【図２】
0003745082.tif 000003
【図３】
0003745082.tif 000004
【図４】
0003745082.tif 000005
【図５】
0003745082.tif 000006
【図６】
0003745082.tif 000007
【図７】
0003745082.tif 000008